(57)【要約】【課題】光学系ブロックに設けるレーザの電源端子とプリント基板とをフレキシブル配線板により接続する場合、フレキシブル配線板のたるみを防止することができる構造の光ピックアップ装置を提供する。【解決手段】光記録媒体に沿って設けられたガイド軸に沿って移動自在な光学系ブロック１を備える。光学系ブロック１に重ねる構造で設けたプリント基板２と光学系ブロック１の外周面に突出したレーザー素子の電源端子４との接続を、折り曲げたフレキシブル配線板１３により行う。フレキシブル配線板１３のレーザー素子の電源端子４との接続部は、フレキシブル配線板１３の縁部１３ｃから切り込み状に設けた凹部１３ｄにパッド１６を設けた構造とする。パッド１６をレーザー素子の電源端子４に接続する。【選択図】図２
2005018938.tif 000002
【特許請求の範囲】
【請求項１】
光記録及び／又は再生装置に設けられたガイド軸に沿って移動自在に設けられた光学系ブロックを備え、
前記光学系ブロックに設けたプリント基板と前記光学系ブロックの外周面に突出したレーザー素子の電源端子との接続を、折り曲げたフレキシブル配線板により行い、
前記フレキシブル配線板の前記レーザー素子の電源端子との接続部は、フレキシブル配線板の縁部から切り込み状に設けた凹部にパッドを設けた構造とし、該パッドを前記レーザー素子の電源端子に接続したことを特徴とする光ピックアップ装置。
【請求項２】
請求項１に記載の光ピックアップ装置において、
前記フレキシブル配線板に設けた凹部の対向する２辺にそれぞれパッドを設け、
これらの２辺に設けたパッド間で２本のレーザー素子の電源端子を挟む構造を有することを特徴とする光ピックアップ装置。
【請求項３】
請求項１または２に記載の光ピックアップ装置において、
前記フレキシブル配線板は前記プリント基板より外側に延出した部分がＬ字形をなし、
前記フレキシブル配線板の接続部における前記プリント基板との対向側の縁部に前記パッドを有する凹部が形成されていることを特徴とする光ピックアップ装置。
【請求項４】
請求項１から３までのいずれかに記載の光ピックアップ装置において、
前記フレキシブル配線板のレーザー素子の電源端子との接続部に補強板を固着したことを特徴とする光ピックアップ装置。
【発明の詳細な説明】
【０００１】
【発明の属する技術分野】
本発明は、記録媒体であるＣＤ、ＤＶＤ、ＭＤ等の光記録媒体に情報を記録及び／又は再生する装置における光ピックアップ装置に係わり、特に光学系ブロックに設けるレーザー素子の電源端子と光学系ブロックに設けたプリント基板との接続を行うフレキシブル配線板に関する。
【０００２】
【従来の技術】
光ディスク装置を構成する光ピックアップ装置は、光学系ブロックにレーザ源としてレーザー素子を備え（例えば特許文献１参照）、レーザー素子には、光学系ブロックに設けられたプリント基板に配設された電源回路が接続される。
【０００３】
【特許文献１】
特開２００２−１４０８２８号公報
このような電源回路にレーザー素子を接続する構造として、従来より図９および図１０に示す構造のものがある。これは光学系ブロック１に重なるように添設されるプリント基板２のレーザ電源回路に、光学系ブロック１内に設けるレーザー素子３の電源端子４を接続するため、樹脂シート内に金属箔でなる配線を設けたフレキシブル配線板（ＦＰＣ）５を用いたものである。
【０００４】
【発明が解決しようとする課題】
図９、図１０に示すように、従来のフレキシブル配線板５を用いた光ピックアップ装置においては、フレキシブル配線板５にレーザー素子３の電源端子４に対応した穴を有するパッド６を設け、図１０に二点鎖線で示すように、フレキシブル配線板５のパッド６に設けた穴をレーザー素子３の電源端子４に嵌合させ、矢印Ｘで示すように、レーザー素子の電源端子４の根本まで嵌合部をスライドさせて半田付けすることにより接続を行っている。
【０００５】
しかし、レーザー素子３の電源端子４は、光ピックアップ装置の性能を試験するために、フレキシブル配線板５に接続する前に試験装置の電源にコネクタ接続するため、所定の長さが必要となる。このため、パッド６の穴を電源端子４に嵌合するためには、フレキシブル配線板のパッド６の穴が電源端子４（４ａはダミー端子である。）の先端に届くようにするために、フレキシブル配線板５の長さは、最終の取付け状態よりも長くする必要がある。
【０００６】
このため、最終的にパッド６をレーザー素子の電源端子４に半田付けした状態ではフレキシブル配線板５にたるみ部５ａが生じる。そしてこのようなたるみ部５ａが、光学系ブロック１を例えば光ディスク（図示せず）の半径方向に移動自在にガイドするガイド軸７（８は光学系ブロック１に設けられてガイド軸７に摺動自在に嵌合された摺動部である。）と干渉するという問題点がある。
【０００７】
本発明は、上記問題点に鑑み、光学系ブロックに設けるレーザの電源端子とプリント基板とをフレキシブル配線板により接続する場合、フレキシブル配線板のたるみを防止することができる構造の光ピックアップ装置を提供することを目的とする。
【０００８】
【課題を解決するための手段】
（１）本発明の光ピックアップ装置は、光記録及び／又は再生装置に設けられたガイド軸に沿って移動自在に設けられた光学系ブロックを備え、
前記光学系ブロックに設けたプリント基板と前記光学系ブロックの外周面に突出したレーザー素子の電源端子との接続を、折り曲げたフレキシブル配線板により行い、
前記フレキシブル配線板の前記レーザー素子の電源端子との接続部は、フレキシブル配線板の縁部から切り込み状に設けた凹部にパッドを設けた構造とし、該パッドを前記レーザー素子の電源端子に接続したことを特徴とする。
【０００９】
（２）また、本発明の光ピックアップ装置は、前記（１）に記載の光ピックアップ装置において、
前記フレキシブル配線板に設けた凹部の対向する２辺にそれぞれパッドを設け、
これらの２辺に設けたパッド間で２本のレーザー素子の電源端子を挟む構造を有することを特徴とする。
【００１０】
（３）また、本発明の光ピックアップ装置は、前記（１）または（２）に記載の光ピックアップ装置において、
前記フレキシブル配線板は前記プリント基板より外側に延出した部分がＬ字形をなし、
前記フレキシブル配線板は前記プリント基板より外側に延出した部分がＬ字形をなし、
前記フレキシブル配線板の接続部における前記プリント基板との対向側の縁部に前記パッドを有する凹部が形成されていることを特徴とする。
【００１１】
（４）また、本発明の光ピックアップ装置は、（１）から（３）までのいずれかに記載の光ピックアップ装置において、
前記フレキシブル配線板のレーザー素子の電源端子との接続部に補強板を固着したことを特徴とする。
【００１２】
【発明の実施の形態】
図１は本発明による光ピックアップ装置の一実施の形態を示す斜視図である。１はレーザー素子等の光学系機器を内蔵した光学系ブロックであり、図２、図３に示すように、該光学系ブロック１にはＩＣ９等を搭載したプリント基板２が光学系ブロック１に重なるように設けられる。３は光学系ブロック１に内蔵したレーザー素子、４はその電源端子であり、該レーザー素子の電源端子４は光学系ブロック１の外面より外方に突出して設けられる。２０はＩＣ９の放熱板、２１は前記プリント基板２に光記録及び／又は再生装置の本体部の回路を接続するためのコネクタである。
【００１３】
８は光学系ブロック１を移動自在にガイドするガイド軸（副軸）７をガイドする摺動部である。１０は不図示の主軸となるガイド軸に摺動自在に嵌合される摺動部である。１１は光学系ブロック１に搭載された対物レンズ駆動装置、１２は該対物レンズ駆動装置１１の固定部に対して少なくとフォーカス方向、トラッキング方向に可動に設けられた対物レンズである。
【００１４】
１３は光学系ブロック１内に設けられるレーザー素子３の電源端子４とプリント基板２とを接続するフレキシブル配線板である。１４は光学系ブロック１内に設けられる不図示の他のレーザー素子の電源端子１５に接続されるフレキシブル配線板である。前記レーザー素子３と不図示の他のレーザー素子とは、例えば一方がＤＶＤ用、他方がＣＤ用に設けられるものである。
【００１５】
なお、前記フレキシブル配線板１３、１４は一体に形成されてプリント基板２に接続されるもので、図示のフレキシブル配線板１３、１４はプリント基板２より外部に延出した部分である。これらのフレキシブル配線板１３、１４はプリント基板２において重ねて固定され、かつ内部の金属箔でなる配線がプリント基板２の配線に接続されるものである。これらのフレキシブル配線板１３、１４は、別々に構成されるものであってもよい。
【００１６】
本実施の形態のフレキシブル配線板１３は、プリント基板２よりほぼ延出させた腕部１３ａと、その腕部１３ａから曲成された端子への接続部１３ｂとからなるＬ字形をなす。該フレキシブル配線板１３のパッド１６は、フレキシブル配線板１３の接続部１３ｂのプリント基板２の縁部１３ｃから切り込み状に設けた凹部１３ｄの対向する２辺に設けた構造としている。
【００１７】
４ａはレーザー素子３のダミーの端子である。このように、本例ではダミー端子４ａを有するので、フレキシブル配線板１３の電源端子４との接続部１３ａは、ダミー端子４ａの部分にも凹部１３ｅを形成したものを示している。これらのパッド１６、１６は、前記電源端子４に当てて半田付けや導電性接着材により接続される。
【００１８】
このフレキシブル配線板１３の前記電源端子４への接続は、図５に示すように、前記腕部１３ａを捻った状態から、矢印Ｒで示すように、前記接続部１３ｂを電源端子４側に戻して図２に示すように凹部１３ｅのパッド１６、１６により２本の電源端子４、４を挟み、半田付けする。
【００１９】
このように、縁部１３ｃに切り込み状の凹部１３ｄを設けてその凹部にパッド１６を設けることにより、電源端子４の側面側から接続部１３ｂを近接させてパッド１６を電源端子４に接続させることができる。このため、図３に示すように、フレキシブル配線板１３はたるみ部分のほとんど無い状態で取付けることができ、ガイド軸７との干渉を回避することができる。
【００２０】
本発明を実施する場合、ダミー端子４ａの無いレーザー素子に適用する場合や、図２における上部にダミー端子４ａが設けられる場合には、電源端子４、４にそれぞれ対応して凹部を設け、各凹部にパッドを設けてもよいが、本実施の形態のように、フレキシブル配線板１３に設けた凹部１３ｄの対向する２辺にそれぞれパッド１６を設け、フレキシブル配線板１３の持つ弾性によってパッド１６、１６間で電源端子４、４を挟む構造とすることでパッド１６を電源端子４に仮止めすることができ、パッド１６の電源端子４に対する接続作業における作業性が向上する。
【００２１】
また、フレキシブル配線板１３をほぼＬ字形に形成して、フレキシブル配線板１３の接続部１３ｂをプリント基板２の反対側から電源端子４に装着する構造とすることにより、腕部１３ａの捻りのための長さを容易に確保することができ、接続作業が容易となる。
【００２２】
図６ないし図８は本発明の他の実施の形態を示すものであり、フレキシブル配線板１３の接続部１３ｂとフレキシブル配線板１４の接続部１４ａに補強板１７を固着したものである。該補強板１７としては、耐熱性、接着性、コストの観点から、ガラスエポキシ樹脂板を用いることが好ましいが、前記特性を有するものであれば、他の材質のものを用いてもよい。
【００２３】
このような補強板１７を設ければ、接続部１３ｂ、１４ａを平坦化しかつ強度を向上させることができ、ハンドリングおよび半田付け作業性を向上させることができる。また、フレキシブル配線板１３において、補強板１７は、接続部１３ｂのみならず、接続部１３ｂと腕部１３ａとの間のコーナー部１３ｆに至るように延在させることにより、このコーナー部１３ｆにおけるガイド軸７側へのたわみ、たるみも良好に防止することができる。
【００２４】
なお、上記実施の形態においては、不図示のレーザー素子の電源端子１５に接続されるフレキシブル配線板１４は、ガイド軸７との干渉の問題が生じないため、従来通りの穴空きパッド構造を採用しているが、このフレキシブル配線板１４も切り込み状の凹部にパッドを設けた構造にしてもよい。
【００２５】
【発明の効果】
本発明によれば、フレキシブル配線板のレーザー素子の電源端子との接続部を、フレキシブル配線板の縁部から切り込み状に設けた凹部にパッドを設けた構造とし、該パッドを前記レーザー素子の電源端子に接続したので、フレキシブル配線板にたるみを生じることなく光学系ブロックに取付けることができ、ガイド軸等との干渉を回避することができる。また、フレキシブル配線板のたるみが無くなるので、外観が向上する。
【図面の簡単な説明】
【図１】本発明による光学系ブロックの一実施の形態を示す斜視図である。
【図２】本実施の形態におけるフレキシブル配線板の実装構造を示す側面図である。
【図３】図２のフレキシブル配線板の実装構造を示す断面図である。
【図４】本実施の形態のフレキシブル配線板の電源端子との接続部を示す側面図である。
【図５】本実施の形態のフレキシブル配線板の実装作業を説明する側面図である。
【図６】本発明による光学系ブロックの他の実施の形態を示す斜視図である。
【図７】図６の実施の形態におけるフレキシブル配線板の実装構造を示す側面図である。
【図８】図６、図７のフレキシブル配線板の実装構造を示す断面図である。
【図９】従来のフレキシブル配線板の実装構造を示す側面図である。
【図１０】図９のフレキシブル配線板の実装構造を示す断面図である。
【符号の説明】
１：光学系ブロック、２：プリント基板、３：レーザー素子、４：電源端子、４ａ：ダミー端子、８、１０：ガイド軸摺動部、９：ＩＣ、１１：対物レンズ駆動装置、１２：対物レンズ、１３、１４：フレキシブル配線板、１３ａ：腕部、１３ｂ：接続部、１３ｃ：縁部、１３ｄ：凹部、１３ｅ：凹部、１５：電源端子、１６：パッド、１７：補強板、２０：放熱板、２１：コネクタ
【図１】
2005018938.tif 000003
【図２】
2005018938.tif 000004
【図３】
2005018938.tif 000005
【図４】
2005018938.tif 000006
【図５】
2005018938.tif 000007
【図６】
2005018938.tif 000008
【図７】
2005018938.tif 000009
【図８】
2005018938.tif 000010
【図９】
2005018938.tif 000011
【図１０】
2005018938.tif 000012